(57)【要約】【課題】隣り合うパネル間の段差を矯正する作業を、作業者が単独で効率良く行うことができるパネルの段差矯正治具及び段差矯正方法を提供する。【解決手段】本発明に係る段差矯正治具１は、二枚のＡＬＣパネル１００間の隙間に、二枚のＡＬＣパネルの仕上げ面１００ａ側から挿通され、二枚のＡＬＣパネル１００の裏面１００ｂに当接されるアンカー保持部材１０と、仕上げ面１００ａに当接される座金材２０と、仕上げ面１００ａ側から挿通されてアンカー保持部材１０と座金材２０とを連結すると共に、アンカー保持部材１０と座金材２０とで二枚のＡＬＣパネル１００が挟持されるようにアンカー保持部材１０と座金材２０との間隔を狭めるボルト材３０と、アンカー保持部材１０に接続され、アンカー保持部材１０を挿通時の状態から二枚のＡＬＣパネル１００の裏面１００ｂに当接した状態へと変化させるガイド部材４０とを備える。【選択図】図１
2017095878.tif 000002
【特許請求の範囲】
【請求項１】
隣設された二枚のパネル間段差を矯正する段差矯正治具であって、
前記二枚のパネル間の隙間に、前記二枚のパネルの一方の面側から挿通され、前記二枚のパネルの他方の面に当接される第一当接部材と、
前記一方の面に当接される第二当接部材と、
前記隙間に前記一方の面側から挿通されて前記第一当接部材と前記第二当接部材とを連結すると共に、前記第一当接部材と前記第二当接部材とで前記二枚のパネルが挟持されるように前記第一当接部材と前記第二当接部材との間隔を狭める軸部材と、
前記第一当接部材に接続され、前記第一当接部材を挿通時の状態から前記二枚のパネルの他方の面に当接した状態へと変化させる制御手段とを備える段差矯正治具。
【請求項２】
前記軸部材は、一方の端部に形成される雄ネジ部と、他方の端部に窪み部が形成される頭部を有し、
前記第一当接部材は、前記雄ネジ部を螺合させる雌ネジ部を有している請求項１に記載の段差矯正治具。
【請求項３】
前記制御手段は、前記第一当接部材と共に前記一方の面側から前記隙間に挿通される一対のガイド部材であり、
前記第一当接部材は、一方の前記ガイド部材の先端部に位置する第一回動軸のまわりに回動自在であると共に、他方の前記ガイド部材の先端部に位置する前記第一回動軸に平行な第二回動軸のまわりに回動自在である、請求項１又は２に記載の段差矯正治具。
【請求項４】
前記一対のガイド部材には、前記第一当接部材が回動するのを防止する回動防止部材が設けられている、請求項３に記載の段差矯正治具。
【請求項５】
請求項１乃至４のいずれか１項に記載の段差矯正治具による外壁パネルの段差矯正構造であって、
前記外壁パネル間の目地部に形成される隙間に前記段差矯正治具の軸部材が挿通され、前記軸部材の締め付けに応じて前記軸部材に連結された前記第一当接部材と前記第二当接部材との間隔が狭められることにより、前記第一当接部材と前記第二当接部材とで前記外壁パネルが挟持されてなる外壁パネルの段差矯正構造。
【請求項６】
前記一方の面側は、外壁の仕上げ面側であり、
前記第二当接部材及び前記軸部材の頭部は、前記仕上げ面側に露出しないように、前記外壁パネルの目地部に設けられるシール材によって覆われた、請求項５に記載の外壁パネルの段差矯正構造。
【請求項７】
請求項１乃至４のいずれか１項に記載の段差矯正治具を用いた、建物の外壁を構成する外壁パネルの段差矯正方法であって、
前記外壁パネルの一方の面側から隣設された外壁パネルの目地部に隙間を形成する工程と、
前記段差矯正治具の前記第一当接部材を前記ガイド部材に沿うように回動させた状態で、前記第一当接部材を前記隙間に挿通する工程と、
前記第一当接部材を回動させて前記第一当接部材を前記外壁パネルの他方の面に当接させる工程と、
前記第二当接部材を前記外壁パネルの一方の面側に配置し、前記第二当接部材の孔部に前記軸部材を挿通する工程と、
前記軸部材を締め付けて、前記第一当接部材と前記第二当接部材とを連結すると共に、前記第一当接部材と前記第二当接部材との間隔を狭めて前記第一当接部材と前記第二当接部材とにより前記外壁パネルを挟持する工程と、
を有する外壁パネルの段差矯正方法。
【発明の詳細な説明】
【技術分野】
【０００１】
本発明は、住宅等の建物に使用される建築用パネル（以下、パネルとも称する）を設置する際に生じる、パネル間の段差を矯正する段差矯正治具、当該段差矯正治具を用いた段差矯正方法、及びその段差矯正構造に関する。
【背景技術】
【０００２】
コンクリートパネル等の外壁パネルを複数組み合わせて外壁を構成した建物が建築されている。
【０００３】
上記コンクリートパネルによって構成された外壁にあっては、それぞれのコンクリートパネルの上部と下部は建物の躯体に固定されているが、コンクリートパネルの施工精度やコンクリートパネル自体の反り等により、コンクリートパネル間に段差が生じることがある。コンクリートパネルの仕上げ面側（屋外側）に段差が生じてしまうと、建物の外観が損なわれるという問題があるため、コンクリートパネル間の仕上げ面側に生じた段差を矯正することが必要である。
【０００４】
このようなコンクリートパネル間の段差の矯正を図ることを目的とした技術が、例えば下記特許文献１に記載されている。下記特許文献１には、コンクリートパネルの一例であるＡＬＣパネルを押圧するパネル押圧部材を使用して、ＡＬＣパネルの仕上げ面側に生じた段差を、外壁の裏面側から矯正する方法が記載されている。
【先行技術文献】
【特許文献】
【０００５】
【特許文献１】特開２００１−２４８３０９号公報
【発明の概要】
【発明が解決しようとする課題】
【０００６】
しかしながら上記特許文献１に記載の方法では以下の問題があった。すなわち、外壁の裏面側から作業者は段差矯正作業を行うため、外壁の仕上げ面側から見て段差が精度高く矯正されたかを確認するために、仕上げ面側に回り込む必要があり、作業効率が悪いという問題があった。段差矯正作業の他の方法として、外壁の仕上げ面側と裏面側のそれぞれに作業者を配置して、段差矯正作業と確認作業を同時に行う方法も考えられるが、必要な作業者が増加することとなるため、この方法であっても作業効率に関する問題は依然として残っていた。
【０００７】
本発明はこのような課題に鑑みてなされたものであり、隣り合うパネル間の段差を矯正する作業を、作業者が単独で効率良く行うことができる段差矯正治具及び段差矯正方法を提供することを目的とする。
【課題を解決するための手段】
【０００８】
上記課題を解決するために本発明に係る段差矯正治具は、隣設された二枚のパネル間段差を矯正する段差矯正治具であって、前記二枚のパネル間の隙間に、前記二枚のパネルの一方の面側から挿通され、前記二枚のパネルの他方の面に当接される第一当接部材と、前記一方の面に当接される第二当接部材と、前記隙間に前記一方の面側から挿通されて前記第一当接部材と前記第二当接部材とを連結すると共に、前記第一当接部材と前記第二当接部材とで前記二枚のパネルが挟持されるように前記第一当接部材と前記第二当接部材との間隔を狭める軸部材と、前記第一当接部材に接続され、前記第一当接部材を挿通時の状態から前記二枚のパネルの他方の面に当接した状態へと変化させる制御手段とを備える。
【０００９】
本発明に係る段差矯正治具では、パネルの一方の面（仕上げ面）側から、二枚のパネルの他方の面（裏面）に当接した第一当接部材と、二枚のパネルの一方の面に当接される第二当接部材とで二枚のパネルを挟持して第一当接部材と第二当接部材との間隔を狭めることができるので、二枚のパネルを面一の状態に保持することができる。このため、二枚のパネルの段差矯正作業と段差状況の確認作業とを、作業者がパネルの仕上げ面側から同時に行うことができる。従来では、パネルの裏面側から段差矯正作業を行い、この段差矯正が精度良くなされたかを確認するための作業をパネルの仕上げ面側に回り込んで行っていたため、作業効率が悪かった。或いは、パネルの仕上げ面側と裏面側のそれぞれの人員を配置して、段差矯正作業と段差状況の確認作業を同時に行っていた。これに対し本発明では、パネルの仕上げ面側から、二枚のパネルの段差矯正作業と段差状況の確認作業とを作業者が単独で同時に行うことができるので、従来と比較して作業効率を向上させることができる。
【００１０】
また本発明に係る段差矯正治具では、前記軸部材は、一方の端部に形成される雄ネジ部と、他方の端部に窪み部が形成される頭部を有し、前記第一当接部材は、前記雄ネジ部を螺合させる雌ネジ部を有していることも好ましい。
【００１１】
この好ましい態様では、二枚のパネル間の隙間に挿通される軸部材の頭部に、軸部材を回転させるための窪み部が形成されている。この窪み部に工具を差し込んで軸部材を回転させることで、軸部材の雄ネジ部と第一当接部材の雌ネジ部とが螺合して軸部材と第一当接部材とを連結させることができる。その結果、作業者は容易にパネルの段差を矯正することができる。
【００１２】
また本発明に係る段差矯正治具では、前記制御手段は、前記第一当接部材と共に前記一方の面側から前記隙間に挿通される一対のガイド部材であり、前記第一当接部材は、一方の前記ガイド部材の先端部に位置する第一回動軸のまわりに回動自在であると共に、他方の前記ガイド部材の先端部に位置する前記第一回動軸に平行な第二回動軸のまわりに回動自在であることも好ましい。
【００１３】
この好ましい態様では、一方の面側にいる作業者が、一方のガイド部材を保持した状態で、他方のガイド部材を前後させることで、第一回動軸まわりに第一当接部材を回動させることができる（他方のガイド部材を保持した状態で、一方のガイド部材を前後させることで、第二回動軸まわりに第一当接部材を回動させることができる）。このため、パネルの一方の面側（仕上げ面側）からのガイド部材の操作によって、他方の面側（裏面側）にある第一当接部材をパネルの他方の面（裏面）に当接するよう回動させることができる。
【００１４】
また本発明に係る段差矯正治具では、前記一対のガイド部材には、前記第一当接部材が回動するのを防止する回動防止部材が設けられていることも好ましい。
【００１５】
この好ましい態様では、第一当接部材の回動を防止する回動防止部材がガイド部材に設けられているので、第一当接部材がパネルの他方の面（裏面）に当接した状態を維持することができる。また、軸部材を第一当接部材に連結する際、他方の面側にある第一当接部材が回動することを防止することができるので、軸部材と第一当接部材とを連結する際の作業性を向上させることができる。
【００１６】
また本発明に係る段差矯正治具による外壁パネルの段差矯正構造は、前記外壁パネル間の目地部に形成される隙間に前記段差矯正治具の軸部材が挿通され、前記軸部材の締め付けに応じて前記軸部材に連結された前記第一当接部材と前記第二当接部材との間隔が狭められることにより、前記第一当接部材と前記第二当接部材とで前記外壁パネルが挟持されてなることを特徴とする。
【００１７】
また本発明に係る外壁パネルの段差矯正治具は、前記一方の面側は、外壁の仕上げ面側であり、前記第二当接部材及び前記軸部材の頭部は、前記仕上げ面側に露出しないように、前記外壁パネルの目地部に設けられるシール材によって覆われたことを特徴とする。
【００１８】
本発明に係る外壁パネルでは、第二当接部材及び軸部材の頭部は、仕上げ面側に露出しないように外壁パネルの目地部に設けられるシール材によって覆われるので、建物の外壁の外観を良好に維持することができる。
【００１９】
また本発明に係る外壁パネルの段差矯正方法は、前記外壁パネルの一方の面側から隣設された外壁パネルの目地部に隙間を形成する工程と、前記段差矯正治具の前記第一当接部材を前記ガイド部材に沿うように回動させた状態で、前記第一当接部材を前記隙間に挿通する工程と、前記第一当接部材を回動させて前記第一当接部材を前記外壁パネルの他方の面に当接させる工程と、前記第二当接部材を前記外壁パネルの一方の面側に配置し、前記第二当接部材の孔部に前記軸部材を挿通する工程と、前記軸部材を締め付けて、前記第一当接部材と前記第二当接部材とを連結すると共に、前記第一当接部材と前記第二当接部材との間隔を狭めて前記第一当接部材と前記第二当接部材とにより前記外壁パネルを挟持する工程と、を有する。
【発明の効果】
【００２０】
本発明によれば、隣り合うパネル間の段差を矯正する作業を、作業者が単独で効率良く行うことができる段差矯正治具及び段差矯正方法を提供することができる。
【図面の簡単な説明】
【００２１】
【図１】（Ａ）本実施形態に係るパネルの段差矯正治具の概略構成を示す図である。（Ｂ）図１（Ａ）に示す段差矯正治具のアンカー保持部材を回動させた状態を示す図である。
【図２】図１に示す段差矯正治具を用いた段差矯正工程の一例を示すフローチャートである。
【図３】隣り合う外壁パネル間の段差を説明するための図である。
【図４】（Ａ）外壁パネル間の段差を矯正する段差矯正作業の一部を例示的に示す図である。（Ｂ）図４（Ａ）の断面図である。
【図５】（Ａ）外壁パネル間の段差を矯正する段差矯正作業の一部を例示的に示す図である。（Ｂ）図５（Ａ）の断面図である。
【図６】（Ａ）外壁パネル間の段差を矯正する段差矯正作業の一部を例示的に示す図であって、外壁パネルの裏面側から見た状態を示す図である。（Ｂ）図６（Ａ）の断面図である。
【図７】（Ａ）外壁パネル間の段差を矯正する段差矯正作業の一部を例示的に示す図である。（Ｂ）図７（Ａ）の断面図である。
【図８】（Ａ）外壁パネル間の段差を矯正する段差矯正作業の一部を例示的に示す図である。（Ｂ）図８（Ａ）の断面図である。
【図９】（Ａ）外壁パネル間の段差を矯正する段差矯正作業の一部を例示的に示す図である。（Ｂ）図９（Ａ）の断面図である。
【図１０】（Ａ）座金材の一例を説明するための図である。（Ｂ）座金材の変形例を説明するための図である。
【発明を実施するための形態】
【００２２】
以下添付図面を参照しながら本発明の実施形態について説明する。本発明は以下の好ましい実施形態により説明されるが、本発明の範囲を逸脱すること無く、多くの手法により変更を行うことができ、本実施形態以外の他の実施形態を利用することができる。従って、本発明の範囲内における全ての変更が特許請求の範囲に含まれる。
【００２３】
まず、本実施形態に係る段差矯正治具の構成について説明する。図１は段差矯正治具の概略構成を示す図である。
【００２４】
段差矯正治具１は、例えばＡＬＣパネル等の外壁パネル間に生じた段差を矯正するために用いられる治具である。外壁パネルを複数組み合わせて外壁を構成した建物において、それぞれの外壁パネルの上部と下部は建物の躯体（梁等）に対して、金物を介して固定されているが、外壁パネルの施工精度や外壁パネル自体の反り等により、隣り合う外壁パネル間に段差が生じる場合がある。この場合に図１に示すような段差矯正治具１を用いて段差を矯正することが有効である。図１に示すように、段差矯正治具１は、アンカー保持部材１０（第一当接部材）と、ガイド部材４０ａ、４０ｂ（制御手段）と、ボルト材３０（軸部材）と、座金材２０（第二当接部材）と、スライド部材５０（回動防止部材）とを少なくとも備える。
【００２５】
アンカー保持部材１０は、後述する段差矯正工程において、建物の外壁を構成する外壁パネルの一方の面（仕上げ面）側から、二枚の外壁パネル間の隙間に挿通され、二枚の外壁パネルの他方の面（裏面）に当接する部材である。アンカー保持部材１０は、例えば断面コ字形状の金属製の部材で構成され、ガイド部材４０に接続されている。またアンカー保持部材１０は、一方のガイド部材４０ａの先端部に位置する第一回動軸１１ａまわりに回動可能に構成されると共に、他方のガイド部材４０ｂの先端部に位置する第二回動軸１１ｂまわりに回動可能に構成される。またアンカー保持部材１０には、ボルト材３０が連結可能なように、ボルト材３０に形成された雄ネジ部３３に螺合する雌ネジ部１２が形成されている。この雌ネジ部１２は、後述する段差矯正工程において、アンカー保持部材１０が外壁パネルの裏面に当接したときに、外壁パネル間の隙間に対応する位置に形成されている。
【００２６】
なお、アンカー保持部材１０としては、本実施形態では金属材により構成されるが、これに限定されず、ボルト材３０の締め付けに耐えられる強度を有していれば、他の材料を選択することも可能である。また、アンカー保持部材１０は、本実施形態では断面コ字形状により形成されるが、これに限定されず、外壁パネルを跨いで当該外壁パネルの裏面にかかる形状を有していれば、その形状は例えばハット形状など他の形状を選択することが可能である。なお、第一回動軸１１ａ及び第二回動軸１１ｂに対応する部分には孔加工１３ａ、１３ｂが施されている。
【００２７】
ガイド部材４０ａ、４０ｂは、一対の棒状部材であって、その任意の位置で切断可能に構成されている。上記のように、ガイド部材４０ａ、４０ｂの先端部はアンカー保持部材１０と連結され、ガイド部材４０ａ、４０ｂの操作により、アンカー保持部材１０を第一回動軸１１ａ又は第二回動軸１１ｂまわりに回動させることが可能となっている。本実施形態では、アンカー保持部材１０を、二枚の外壁パネルの目地部に形成された貫通孔６０（隙間）（図４参照）に挿通するための挿通時の状態（アンカー保持部材１０を、ガイド部材４０の長手方向に沿うように回動させた状態）から、二枚の外壁パネルの裏面に当接した状態へと、アンカー保持部材１０を回動させるように、ガイド部材４０ａ、４０ｂを操作する（図１（Ｂ）参照）。
【００２８】
またガイド部材４０ａ、４０ｂには、その途中部分にガイド部材４０ａ、４０ｂに沿ってスライド可能なスライド部材５０が取り付けられている。このスライド部材５０は、一対のガイド部材４０ａ、４０ｂの相対位置を維持して、アンカー保持部材１０が回動するのを防止する機能を有する。スライド部材５０は、例えば樹脂材料又はアルミ等の金属材料によって構成され、その中央にボルト材３０を通す孔（図示略）が形成されている。またガイド部材４０ａ、４０ｂには、スライド部材５０をガイド部材４０ａ、４０ｂの先端側（図１では左側）にスライドさせたときに、スライド部材５０がガイド部材４０ａ、４０ｂの手前側（図１では右側）に戻らないように、その表面に凹凸形状の加工（図示略）が施されている。
【００２９】
なお、ガイド部材４０ａ、４０ｂとしては、アンカー保持部材１０を二枚の外壁パネルの目地部に形成された貫通孔６０（隙間）に通すための機能及びアンカー保持部材１０を回動させる機能を有していれば、例えばバネ機構を利用した部材等であってもよく、その素材や形状等は様々なものを選択可能である。また、本実施形態ではガイド部材４０ａ、４０ｂとして例えば樹脂製の材料で構成されるが、切断可能な材料であれば他の材料（例えばアルミ等の金属材料）を選択することが可能である。またガイド部材４０ａ、４０ｂの長さとしては、外壁パネルの厚さ等に応じて所定の長さに選定される。
【００３０】
ボルト材３０は、アンカー保持部材１０と座金材２０とを連結する機能を有する。またボルト材３０は、その締め付けに応じてアンカー保持部材１０と座金材２０との間隔を狭め、アンカー保持部材１０と座金材２０とで二枚のＡＬＣパネルを挟持する機能を有する。ボルト材３０の一方の端部には、アンカー保持部材１０の雌ネジ部１２に螺合する雄ネジ部３３を有し、他方の端部には、所定の工具を差し込んでボルト材３０を回転させるための窪み部３２が形成された頭部３１を有している。後述する段差矯正工程において、ボルト材３０が、外壁パネルの仕上げ面（一方の面）側から、外壁パネル間の目地部に形成された貫通孔に挿通されると、ボルト材３０の雄ネジ部３３がアンカー保持部材１０の雌ネジ部１２に螺合され、アンカー保持部材１０と座金材２０とが連結される。そして、ボルト材３０の締め付けに応じてアンカー保持部材１０と座金材２０との間隔が狭まり、アンカー保持部材１０と座金材２０とで二枚の外壁パネルを挟持して二枚の外壁パネルを面一の状態に保持することが可能となっている。なお、ボルト材３０は、例えば長さ約８０ｍｍの金属材料により構成されることが好適であるが、この例に限定されず、その長さ、頭部形状、材質等は、外壁パネルの寸法や材質、目地部の意匠や構造、締め込みの際に使用する工具等によって適宜選定される。
【００３１】
座金材２０は、外壁パネルの仕上げ面側に当接する部材であり、ボルト材３０の締め付け時に、外壁パネルの仕上げ面側とボルト材３０の頭部３１との間に配置される。座金材２０には、その中央にボルト材３０を挿通するための孔２１（図１０参照）が形成されている。この孔２１の直径は、ボルト材３０の径に対応した大きさに設定されている。
【００３２】
なお、座金材２０の孔２１には、例えばナットのような雌ネジ部（図示略）が形成されていても良い。座金材２０としては、例えば円形（図１０（Ａ）参照）や長方形（図１０（Ｂ）参照）等の金属板状の座金が用いられるが、この例に限定されず、ボルト材３０の締め付け時に生じる軸力を外壁パネルに対して十分伝達可能であれば、外壁パネルの寸法や材質、目地部の意匠や構造、締め込みの際に使用する工具等によってその形状、材質、厚み等は、適宜選定される。好適には、座金材２０を外壁パネルの仕上げ面側に配置する際に、現場において外壁パネルへの座彫り加工が不要となるように、外壁パネルの目地部の構造に合わせた形状に座金材２０が予め成形されていることが好ましい。例えば長方形の座金材（図１０（Ｂ）参照）の短辺の長さが、外壁パネルの目地部の凹部の幅に対応するように予め成形されていれば、現場において外壁パネルへの座彫り加工を不要とすることができる。
【００３３】
続いて、上述した段差矯正治具１を用いた、建物の外壁を構成する外壁パネル間の段差を矯正する段差矯正方法について説明する。図２は、外壁パネル間の段差を矯正する段差矯正工程の一例を示す工程図である。
【００３４】
なお、外壁パネルとしては、ＡＬＣパネル（厚さ７５ｍｍ程度）の例を説明するが、これに限定されず、サイディング、プレキャストコンクリートパネル、カーテンウォール材等のパネルであっても良い。また、パネルは、壁に使用される場合に限定されず、床に使用されるものでもよい。
【００３５】
まず、ステップＳ１１では、隣り合うＡＬＣパネル１００、１００間の段差を外壁の仕上げ面側から確認する。図３に示すように、隣り合うＡＬＣパネル１００、１００の仕上げ面１００ａ、１００ａが形成される面に対して垂直な方向の、段差Ｄの有無を確認する。なお、隣り合うＡＬＣパネル１００、１００は側端面が略接する状態で設けられている。
【００３６】
次いで、ステップＳ１２では、ドリル等の工具を使用して、ＡＬＣパネル１００、１００間の目地部１１０に貫通孔６０（図４参照）を形成する。この貫通孔６０は、後工程で行われるアンカー保持部材１０が挿通可能なように、ＡＬＣパネル１００、１００間の目地部１１０に形成される。なお、貫通孔６０は、例えば直径１３ｍｍ程度に形成される。また、目地部１１０のシーリング材（図示略）を充填する部分は、例えば幅１０〜１５ｍｍ×奥行１０〜１５ｍｍ程度の凹部である。
【００３７】
次いで、ステップＳ１３では、ＡＬＣパネル１００の仕上げ面１００ａ側に座彫り加工６１（図４参照）を必要に応じて行う。この座彫り加工６１は、座金材２０をＡＬＣパネル１００、１００の仕上げ面１００ａ側に配置した際に、座金材２０が出っ張ってしまうことで、目地部１１０に充填されるシール材（図示略）の深さが十分確保できずに止水性能が低下しないように、座彫り加工の範囲（広さや深さ）が決められる。
【００３８】
次いで、ステップＳ１４では、ガイド部材４０を操作して、アンカー保持部材１０をガイド部材４０の長手方向に沿うように回動させた状態で、ＡＬＣパネル１００の仕上げ面１００ａ側から貫通孔６０に挿通する。（図５参照）
【００３９】
次いで、ステップＳ１５では、ガイド部材４０を操作してアンカー保持部材１０を回動させ、アンカー保持部材１０をＡＬＣパネル１００の裏面１００ｂに当接させる。（図６参照）
【００４０】
次いで、ステップＳ１６では、スライド部材５０を前方方向（図１の左方向）にスライドさせて、アンカー保持部材１０の回動を防止させ、アンカー保持部材１０がＡＬＣパネル１００の裏面１００ｂ（図６参照）に当接した状態を維持する。
【００４１】
次いで、ステップＳ１７では、ガイド部材４０を切断又は折って、ガイド部材４０の手前側（ガイド部材４０のうち仕上げ面１００ａが形成する面よりも屋外側に突出している部分）を除去する（図７参照）。スライド部材５０は、アンカー保持部材１０の回動を防止するために残存させておく。
【００４２】
次いで、ステップＳ１８では、座金材２０をＡＬＣパネル１００の仕上げ面１００ａ側に配置し、座金材２０の孔２１にボルト材３０を通す。
【００４３】
次いで、ステップＳ１９では、ボルト材３０を締め付けてアンカー保持部材１０と座金材２０とを連結すると共に、アンカー保持部材１０と座金材２０との間隔を狭める（図８参照）。これにより、アンカー保持部材１０と座金材２０とで二枚のＡＬＣパネル１００、１００を挟持して、二枚のＡＬＣパネル１００、１００を面一の状態に保持することができ、二枚のＡＬＣパネル１００、１００間に生じた段差を矯正することが可能となる。（図９参照）
【００４４】
なお、ボルト材３０の締め付け完了後、座金材２０及びボルト材３０の頭部３１は、仕上げ面１００ａ側に露出しないように、ＡＬＣパネル１００、１００の目地部１１０の凹部に設けられるシール材（図示略）によって覆われる。
【００４５】
以上説明した本実施形態によれば、二枚のＡＬＣパネル１００、１００間の目地部１１０に形成された貫通孔６０に、二枚のＡＬＣパネル１００、１００の仕上げ面１００ａ、１００ａ側から挿通され、二枚のＡＬＣパネル１００、１００の裏面１００ｂ、１００ｂに当接されるアンカー保持部材１０と、二枚のＡＬＣパネル１００、１００の仕上げ面１００ａ、１００ａに当接される座金材２０と、貫通孔６０に仕上げ面１００ａ、１００ａ側から挿通されてアンカー保持部材１０と座金材２０とを連結すると共に、アンカー保持部材１０と座金材２０とで二枚のＡＬＣパネル１００、１００が挟持されるようにアンカー保持部材１０と座金材２０との間隔を狭めるボルト材３０と、アンカー保持部材１０に接続され、アンカー保持部材１０を挿通時の状態から二枚のＡＬＣパネル１００、１００の裏面１００ｂ、１００ｂに当接した状態へと変化させるガイド部材４０とを備える。
【００４６】
また本実施形態によれば、ボルト材３０は、一方の端部に形成される雄ネジ部３３と、他方の端部に窪み部３２が形成される頭部３１を有し、アンカー保持部材１０は、雄ネジ部３３を螺合させる雌ネジ部１２を有している。
【００４７】
また本実施形態によれば、一対のガイド部材４０は、アンカー保持部材１０と共に仕上げ面１００ａ、１００ａ側から貫通孔６０に挿通され、アンカー保持部材１０は、一方のガイド部材４０ａの先端部に位置する第一回動軸１１ａのまわりに回動自在であると共に、他方のガイド部材４０ｂの先端部に位置する第一回動軸１１ａに平行な第二回動軸１１ｂのまわりに回動自在である。
【００４８】
また本実施形態によれば、一対のガイド部材４０には、アンカー保持部材１０が回動するのを防止するスライド部材５０が設けられている。
【００４９】
また本実施形態における段差矯正治具１を用いてＡＬＣパネル１００、１００間の段差を矯正した段差矯正構造は、ＡＬＣパネル１００、１００間の目地部１１０に形成される貫通孔６０にボルト材３０が挿通され、当該ボルト材３０の締め付けに応じてボルト材３０に連結されたアンカー保持部材１０と座金材２０との間隔が狭められ、アンカー保持部材１０と座金材２０とによりＡＬＣパネル１００、１００が挟持されてなることを特徴とする。
【００５０】
また本実施形態によれば、座金材２０及びボルト材３０の頭部３１は、仕上げ面１００ａ側に露出しないように、ＡＬＣパネル１００、１００の目地部１１０に設けられるシール材（図示略）によって覆われる。
【００５１】
また本実施形態におけるＡＬＣパネル１００、１００間の段差を矯正する段差矯正方法は、ＡＬＣパネル１００、１００の仕上げ面１００ａ側から隣設されたＡＬＣパネル１００、１００の目地部１１０に貫通孔６０を形成する工程と、段差矯正治具１のアンカー保持部材１０を、ガイド部材４０に沿うように回動させた状態で貫通孔６０に挿通する工程と、アンカー保持部材１０を回動させてアンカー保持部材１０をＡＬＣパネル１００、１００の裏面１００ｂ、１００ｂに当接させる工程と、座金材２０をＡＬＣパネル１００、１００の仕上げ面１００ａ側に配置し、座金材２０の孔２１にボルト材３０を挿通する工程と、ボルト材３０を締め付けて、アンカー保持部材１０と座金材２０とを連結すると共に、アンカー保持部材１０と座金材２０との間隔を狭めてアンカー保持部材１０と座金材２０とによりＡＬＣパネル１００、１００を挟み込む工程と、を少なくとも有する。
【００５２】
以上、具体例を参照しつつ本発明の実施形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、上述した本発明の実施形態では、「隙間」を、二枚のパネルが接した状態における貫通孔としているが、二枚のパネルが離れた状態における、二枚のパネル間に形成された所定巾の空隙等も、当然本発明の実施形態における「隙間」に含まれる。前述した各具体例が備える各要素およびその配置、材料、条件、形状、サイズなどは、例示したものに限定されるわけではなく適宜変更することができる。また、上述した本発明の実施形態では、スライド部材をパネルの仕上げ面側に残存させて、スライド部材に重なるように座金材を配置したが、スライド部材をガイド部材とともに除去し、座金材がパネルの仕上げ面に直接的に当接するように座金材を配置してもよい。
【符号の説明】
【００５３】
１：段差矯正治具
１０：アンカー保持部材（第一当接部材）
１１ａ：第一回動軸
１１ｂ：第二回動軸
１２：雌ネジ部
２０：座金材（第二当接部材）
３０：ボルト材（軸部材）
３１：頭部
３２：窪み部
３３：雄ネジ部
４０ａ、４０ｂ：ガイド部材（制御手段）
５０：スライド部材（回動防止部材）
６０：貫通孔（隙間）
１００：ＡＬＣパネル（外壁パネル）
１１０：目地部
【図１】
2017095878.tif 000003
【図２】
2017095878.tif 000004
【図３】
2017095878.tif 000005
【図４】
2017095878.tif 000006
【図５】
2017095878.tif 000007
【図６】
2017095878.tif 000008
【図７】
2017095878.tif 000009
【図８】
2017095878.tif 000010
【図９】
2017095878.tif 000011
【図１０】
2017095878.tif 000012